【手続補正書】
【提出日】平成17年2月15日(2005.2.15)
【手続補正１】
【補正対象書類名】明細書
【補正対象項目名】全文
【補正方法】変更
【補正の内容】
【書類名】  明細書
【発明の名称】  厨芥処理機
【特許請求の範囲】
【請求項１】  厨芥を収納する厨芥収納容器と、前記厨芥を加熱する加熱手段と、前記厨芥収納容器内で発生した蒸気を前記厨芥収納容器より排出する排出手段と、前記厨芥収納容器と前記排出手段を連通する排気通路に排気の臭気を浄化する脱臭装置を備え、前記排出手段の排気口付近に塩基性塩を担持処理したシートを配置した厨芥処理機。
【請求項２】  シートは、連続発泡のスポンジに塩基性塩を添着させて形成した請求項１記載の厨芥処理機。
【請求項３】  塩基性塩として、炭酸マグネシウムを使用した請求項１記載の厨芥処理機。
【請求項４】  厨芥を収納する厨芥収納容器と、前記厨芥を加熱する加熱手段と、前記厨芥収納容器内で発生した蒸気を前記厨芥収納容器より排出する排出手段と、前記厨芥収納容器と前記排出手段を連通する排気通路に排気の臭気を浄化する脱臭装置を備え、前記脱臭装置の下流側に、塩基性塩を内蔵する酸性排気の中和手段を設けた厨芥処理機。
【請求項５】  塩基性塩を表面に担持したハニカム状中和器を、中和手段内に配した請求項４記載の厨芥処理機。
【請求項６】  塩基性塩を表面に担持したスポンジ状中和器を、中和手段内に配した請求項４記載の厨芥処理機。
【請求項７】  塩基性塩を螺旋状ガイド板表面に担持した中和器を、中和手段内に配した請求項４記載の厨芥処理機。
【発明の詳細な説明】
【０００１】
【発明の属する技術分野】
本発明は、厨芥をから出る悪臭を酸化分解する脱臭装置の酸性排気を、中和処理する排気中和装置を有する厨芥処理機に関するものである。
【０００２】
【従来の技術】
従来の厨芥処理機は図６に示すように、１１は厨芥処理機本体、１は厨芥を収納する厨芥収納容器で、底面に厨芥を撹拌する撹拌羽根２を備えている。この厨芥収納容器１の上部に厨芥を加熱する加熱手段が配してある。加熱手段は乾燥用ヒータ３及び、乾燥ファン４から構成され、熱風を厨芥に当てて厨芥の表面を加熱する。なお乾燥ファン４は乾燥モータ５により回転駆動される。
【０００３】
また、厨芥収納容器１の上方に吸気口６が設けられており、この吸気口６は排気通路７を通じて脱臭装置１８に接続されている。脱臭装置１８は加熱されて臭気を脱臭する触媒８と、触媒８を加熱する触媒加熱ヒータ９とから構成され、前記脱臭装置４を介して排気口１０より外部に排出する排出手段１２（排気ファン１２ａ、排気モータ１２ｂ）から構成されている。
【０００４】
上記従来の厨芥処理機の動作を説明すると、運転（厨芥の加熱）と同時に脱臭装置１８の加熱手段である触媒加熱ヒータ９が作動し触媒８が加熱され、排出手段１２も作動すると、吸気口６から外気が吸引され、厨芥収納容器１内の臭気を含む空気を脱臭装置１８で脱臭し、排気口１０より外部に排気する。
【０００５】
【発明が解決しようとする課題】
しかしながら、上記従来の構成では、厨芥収納容器１に収容した処理する厨芥からは、アンモニア等の窒素系の臭いや硫化水素のような硫黄系の臭いが含まれている悪臭が発生する。これらの臭いが、脱臭触媒８で酸化分解されると、酸化窒素や酸化硫黄に変化する。また、厨芥からは加熱により大量の水蒸気が発生しており、前記酸化窒素や酸化硫黄はこの水蒸気と反応して硝酸や硫酸を形成する。そしてこの硝酸や硫酸が金属部品に付着するとその部品を錆びさせてしまうという課題があった。
【０００６】
本発明は、上記課題を解決するもので、厨芥をから出る悪臭を酸化分解する脱臭装置の酸性排気を中和処理することで、厨芥処理機の耐久性を向上させるものである。
【０００７】
【課題を解決するための手段】
上記の課題を解決するために本発明は、厨芥を収納する厨芥収納容器と、前記厨芥を加熱する加熱手段と、前記厨芥収納容器内で発生した蒸気を前記厨芥収納容器より排出する排出手段と、前記厨芥収納容器と前記排出手段を連通する排気通路に排気の臭気を浄化する脱臭装置を備え、前記排出手段の排気口付近に塩基性塩を担持処理したシートを配置した厨芥処理機で、前記排気口から排気される酸を中和、捕集することによりその酸の付着により金属部品がさびることを防止することが出来る。
【０００８】
【発明の実施の形態】
本発明の請求項１記載の発明は、厨芥を収納する厨芥収納容器と、前記厨芥を加熱する加熱手段と、前記厨芥収納容器内で発生した蒸気を前記厨芥収納容器より排出する排出手段と、前記厨芥収納容器と前記排出手段を連通する排気通路に排気の臭気を浄化する脱臭装置を備え、前記排出手段の排気口付近に塩基性塩を担持処理したシートを配置した厨芥処理機で、前記排気口から排気される酸を中和、捕集することによりその酸の付着により金属部品がさびることを防止することが出来る。
【０００９】
本発明の請求項２記載の発明は、シートは、連続発泡のスポンジに塩基性塩を添着させて形成した請求項１記載の厨芥処理機で、連続発泡のスポンジに塩基性塩を添着したものを排気中和用のシートとしたため、脱臭触媒の排気中の酸成分はシートの表面だけでなくその内部でも中和、捕集されるようになりよりその中和、捕集効率が向上する。
【００１０】
本発明の請求項３記載の発明は、塩基性塩として、炭酸マグネシウムを使用した請求項１記載の厨芥処理機で、脱臭触媒の排気中の硫黄系の臭いが酸化されて発生した硫酸を中和、捕集した場合、水に難溶の硫酸マグネシウムとなるため製品外へと流出することを防止できる。
【００１１】
本発明の請求項４記載の発明は、厨芥を収納する厨芥収納容器と、前記厨芥を加熱する加熱手段と、前記厨芥収納容器内で発生した蒸気を前記厨芥収納容器より排出する排出手段と、前記厨芥収納容器と前記排出手段を連通する排気通路に排気の臭気を浄化する脱臭装置を備え、前記脱臭装置の下流側に、塩基性塩を内蔵する酸性排気の中和手段を設けた厨芥処理機で、脱臭触媒の排気経路中に塩基性塩を収容する酸性排気の中和手段を設けたため、脱臭触媒の排気経路から一旦排気して捕集することにより確実に排気中の酸成分を中和、捕集できる。
【００１２】
本発明の請求項５記載の発明は、塩基性塩を表面に担持したハニカム状中和器を、中和手段内に配した請求項４記載の厨芥処理機で、塩基性塩を表面に担持させたハニカム状中和器を中和手段内に配したため、排気に対する通気圧損を小さく抑えながら排気中の酸成分とその中和、捕集用の塩基性塩との接触を確実にできるため、その中和、捕集がより確実に出来る。
【００１３】
本発明の請求項６記載の発明は、塩基性塩を表面に担持したスポンジ状中和器を、中和手段内に配した請求項４記載の厨芥処理機で、塩基性塩を表面に担持させたスポンジ状中和器を中和手段内に配したため、中和器中の排気の流れが乱流となり、排気中の酸成分とその中和、捕集用の塩基性塩との接触がより確実となり、排気中の酸成分の中和、捕集効率がより向上する。
【００１４】
本発明の請求項７記載の発明は、塩基性塩を螺旋状ガイド板表面に担持した中和器を、中和手段内に配した請求項４記載の厨芥処理機で、塩基性塩を螺旋状ガイド板表面に担持させた中和器を中和手段に配したため、脱臭触媒の排気の流れに対しての通気抵抗を低く抑えながら排気中の酸成分を確実に中和、捕集できる。
【００１５】
【実施例】
（実施例１）
以下、本発明の第１の実施例について図１を用いて説明する。なお従来例と同一構成部品については同一符号を付して説明を省略する。
【００１６】
図１において、厨芥処理機の本体１１内部の、厨芥収納容器１内から水蒸気が、脱臭装置１８を介して排出手段１２により排出される排気口１０近傍で本体１１内に当たるところ全域に、塩基性塩を担持させたシート１３を配置させてある。厨芥処理機内の厨芥収納容器１内に収容された厨芥から発生する臭気は、脱臭装置１８によって酸化分解され厨芥処理機本体１１外へと排出される。厨芥からの臭気成分には窒素系のものや硫黄系のものが含まれており、これらは脱臭触媒によって酸化されると各々酸化窒素や酸化硫黄となる。そしてこの酸化窒素や酸化硫黄は同じく排気中に含まれる水蒸気と反応して硝酸や硫酸を生成する。この排気中の硝酸や硫酸は脱臭装置１８の排気口１０付近に配置されたシート１３に担持された塩基性塩と接触すると中和され、捕集される。シート１３を図２に示すように厨芥処理機本体１１の内部側外殻に直接固定すると、シート１３は厨芥処理機本体１１の外殻を介して外気により冷却されるため、脱臭装置１８の排気の温度より確実に低温に維持され、脱臭装置１８からの排気がシート１３に接触すると露天温度以下に冷却され、排気中の酸成分を含んだ水蒸気がシート１３で結露し、シート１３に担持された塩基性塩によって中和、捕集される。さらにシート１３を、図２に示すような連続気泡を有するスポンジで構成することにより中和、捕集の反応はシート１３の表面だけでなくその内部でも行われ、中和、捕集効率、容量が向上される。また、シート１３に担持する塩基性塩に炭酸マグネシウムを使用することにより特に排気中の硫酸は炭酸マグネシウムと反応すると水に難溶性の硫酸マグネシウムとなるため、中和反応生成物が厨芥処理機本体１１外へと流れ出して周囲を汚すことを防止できる。さらにその炭酸マグネシウムを粉体として使用すると排気中の酸成分との接触面積を大きくでき、中和、捕集効率をより向上させることが出来る。
【００１７】
（実施例２）
以下、本発明の第２の実施例について図３〜図５を用いて説明する。なお上記実施例と同一機構部品については同一記号を用いて説明を省略する。
【００１８】
図３において、厨芥収納容器１と排気口１０を連通する排気通路７で、脱臭装置１８の上流側および／または下流側に、脱臭装置１８の前記排気通路７を通過する排気中の酸成分の中和手段１５を設け、その内部にはハニカム状の中和器１６を内蔵させた。ハニカム上の中和器１６表面には塩基性塩を担持させてあり、脱臭装置１８の排気中の酸成分はこのハニカム状の中和器１６を通過する際にその表面の塩基性塩と反応し中和、捕集される。
【００１９】
また、その中和器を図４に示すように連続気孔を有するスポンジ状１７に構成すると、中和器１７中を通過する脱臭装置１８からの排気は乱流を起こし、より排気中の酸成分は中和器１７に担持させた塩基性塩と接触しやすくなり、より中和、捕集効率が向上することとなる。
【００２０】
また、中和器を図５に示すように螺旋状のガイド板１８に塩基性塩を担持したもので構成すると、中和器中を通過する排気の通気圧損を低く抑えながら且つ排気中の酸成分の中和、捕集は確実に行える。
【００２１】
【発明の効果】
本発明によれば、酸化触媒による脱臭触媒の排気中の酸成分を容易に且つ確実に中和、捕集できるため厨芥処理機内の脱臭触媒排気部付近にある金属性部品の脱臭触媒排気による錆発生を確実に防止できる。
【図面の簡単な説明】
【図１】
本発明の第１の実施例を示す厨芥処理機の断面図
【図２】
同厨芥処理機の排気口付近の部分断面図
【図３】
本発明の第２の実施例を示す厨芥処理機の排気の中和手段部分断面図
【図４】
同他の厨芥処理機の排気の中和手段部分断面図
【図５】
同他の厨芥処理機の排気の中和手段部分断面図
【図６】
従来の厨芥処理機の断面図
【符号の説明】
１  厨芥収納容器
３  乾燥用ヒータ
１０  排気口
１２  排出手段
１３  シート
１８  脱臭装置